(57)【要約】【課題】導通不良を解消して接続構造の信頼性を向上することのできる内燃機関用点火コイル及びその組立方法を提供すること。【解決手段】一次コイル及び二次コイルと、その二つのコイルを磁気的に結合させる積層鉄心と、これらを収納する絶縁ケースとから成り、二次コイル側に発生させた高電圧を絶縁ケースの下端に形成された高圧筒内の高圧端子及びコイルスプリングを介して点火プラグへ導く内燃機関用点火コイルにおいて、前記高圧端子に取り付け溝を形成し、前記二次コイルに接続された端末ピンを取り付け溝に巻き付けることにより多点接触させたので、導通不良を解消して接続構造の信頼性を向上することができる。また、内燃機関用点火コイルの小型化と生産性の向上を図ることができる。【選択図】図１
2008004732.tif 000002
【特許請求の範囲】
【請求項１】
一次コイル及び二次コイルと、その二つのコイルを磁気的に結合させる積層鉄心と、これらを収納する絶縁ケースとから成り、二次コイル側に発生させた高電圧を絶縁ケースの下端に形成された高圧筒内の高圧端子及びコイルスプリングを介して点火プラグへ導く内燃機関用点火コイルにおいて、
前記高圧端子に取り付け溝を形成し、前記二次コイルに接続された端末ピンを取り付け溝に巻き付けることにより多点接触させたことを特徴とする内燃機関用点火コイル。
【請求項２】
前記高圧端子は、前記絶縁ケースの一部に嵌合する嵌合円盤を備え、高圧端子に端末ピンを取り付けた後に、前記嵌合円盤を絶縁ケースに嵌合固定することを特徴とする請求項１に記載の内燃機関用点火コイル。
【請求項３】
前記高圧端子と端末ピンとを溶接固定したことを特徴とする請求項１または２に記載の内燃機関用点火コイル。
【請求項４】
一次コイル及び二次コイルと、その二つのコイルを磁気的に結合させる積層鉄心と、これらを収納する絶縁ケースとから成り、二次コイル側に発生させた高電圧を絶縁ケースの下端に形成された高圧筒内の高圧端子及びコイルスプリングを介して点火プラグへ導く内燃機関用点火コイルの組立方法において、
前記高圧端子に取り付け溝を形成し、前記二次コイルに接続された端末ピンを取り付け溝に巻き付けた後、前記高圧端子を絶縁ケースに圧入固定することを特徴とする内燃機関用点火コイルの組立方法。
【発明の詳細な説明】
【技術分野】
【０００１】
本発明は、例えば自動車等のエンジンの点火プラグに火花放電を発生させるための内燃機関用点火コイルに関し、特に端末ピンと高圧端子との導電性の向上した内燃機関用点火コイル及びその組立方法に関する。
【背景技術】
【０００２】
従来の内燃機関用点火コイルにおいて、例えば、図１１、１２に示すように二次コイルで発生した高電圧を導く端末ピン１と絶縁ケース２側に配設された高圧端子３を接続する際、端末ピン１のバネ弾性を利用して、高圧端子３に端末ピン１を押し付ける形で接触を保持していた。そして、これら全体を絶縁ケース２内に封入した絶縁樹脂４で固定している。
【発明の開示】
【発明が解決しようとする課題】
【０００３】
しかし、このような構成の従来の内燃機関用点火コイルにおいて、点火コイルの作動時に内部温度が上昇して絶縁樹脂に熱応力が発生する。従来は、端末ピン１と高圧端子３の接続部が一点接触であったため、バネ弾性により保持されていた接触を断ち切る方向に応力が作用した場合、導通不良が発生することが存在した。
【０００４】
この発明は、上記に鑑み提案されたもので、高圧端子に取り付け溝を形成し、二次コイルに接続された端末ピンを取り付け溝に巻き付けることにより多点接触させ、温度変化や振動による導通不良のない内燃機関用点火コイル及びその組立方法を提供することを目的とするものである。
【課題を解決するための手段】
【０００５】
上記目的を達成する為に、本発明の内燃機関用点火コイルは、一次コイル及び二次コイルと、その二つのコイルを磁気的に結合させる積層鉄心と、これらを収納する絶縁ケースとから成り、二次コイル側に発生させた高電圧を絶縁ケースの下端に形成された高圧筒内の高圧端子及びコイルスプリングを介して点火プラグへ導くものであった、前記高圧端子に取り付け溝を形成し、前記二次コイルに接続された端末ピンを取り付け溝に巻き付けることにより多点接触させたことを特徴としている。
【０００６】
また、本発明において、前記高圧端子は、前記絶縁ケースの一部に嵌合する嵌合円盤を備え、高圧端子に端末ピンを取り付けた後に、前記嵌合円盤を絶縁ケースに嵌合固定することを特徴とする。
【０００７】
また、本発明において、前記高圧端子と端末ピンとを溶接固定したことを特徴とする。
【０００８】
また、本発明の内燃機関用点火コイルの組立方法において、一次コイル及び二次コイルと、その二つのコイルを磁気的に結合させる積層鉄心と、これらを収納する絶縁ケースとから成り、二次コイル側に発生させた高電圧を絶縁ケースの下端に形成された高圧筒内の高圧端子及びコイルスプリングを介して点火プラグへ導く内燃機関用点火コイルの組立方法であって、前記高圧端子に取り付け溝を形成し、前記二次コイルに接続された端末ピンを取り付け溝に巻き付けた後、前記高圧端子を絶縁ケースに圧入固定することを特徴とする。
【発明の効果】
【０００９】
この発明は上記した構成からなるので、以下に説明するような効果を奏することができる。
【００１０】
本発明では、一次コイル及び二次コイルと、その二つのコイルを磁気的に結合させる積層鉄心と、これらを収納する絶縁ケースとから成り、二次コイル側に発生させた高電圧を絶縁ケースの下端に形成された高圧筒内の高圧端子及びコイルスプリングを介して点火プラグへ導く内燃機関用点火コイルにおいて、前記高圧端子に取り付け溝を形成し、前記二次コイルに接続された端末ピンを取り付け溝に巻き付けることにより多点接触させたので、温度変化等による導通不良を解消して接続構造の信頼性を向上することができる。また、コイルの小型化と生産性の向上を図ることができる。
【００１１】
また、本発明において前記高圧端子は、前記絶縁ケースの一部に嵌合する嵌合円盤を備え、高圧端子に端末ピンを取り付けた後に、前記嵌合円盤を絶縁ケースに嵌合固定するので、高圧端子と端末ピンとの接続を確実にした後に組立ることができ、温度変化等による導通不良を解消して接続構造の信頼性を向上することができる。また、弾性接触させたので、振動等によっても接触不良を引き起こす虞れがない。
【００１２】
また、本発明において前記高圧端子と端末ピンとを溶接固定したので、高圧端子と端末ピンをより確実に接続することができる。
【発明を実施するための最良の形態】
【００１３】
内燃機関用点火コイルにおいて、高圧端子に取り付け溝を形成し、二次コイルに接続された端末ピンをその取り付け溝に巻き付けて多点接触させることにより、導通不良を解消して接続構造の信頼性を向上するという目的が達成できる。また、コイルの小型化と生産性を向上するという目的が達成できる。
【実施例】
【００１４】
以下、一実施の形態を示す図面に基づいて本発明を詳細に説明する。図１は本発明に係る内燃機関用点火コイルの組み付け手順を示す説明図、図２は本発明の内燃機関用点火コイルに使用される高圧端子の正面図、図３は本発明の高圧端子の平面図である。ここで、従来例と同一部分には、同一の符号を付して説明を省略する。内燃機関用点火コイル１０は、一次コイル及び二次コイルと、その二つのコイルを磁気的に結合させる積層鉄心１１と、これらを収納する絶縁ケース１２とから成り、二次コイル側に発生させた高電圧を絶縁ケース１２の下端に形成された高圧筒１３内の高圧端子１４を介して点火プラグへ導くものであって、前記高圧端子１４に取り付け溝１５を形成し、前記二次コイルに接続された端末ピン１６を取り付け溝１５に巻き付けることにより多点接触させるものである。
【００１５】
高圧端子１４は、図２、３に示すように上下に截頭円錐状の端部１４ａ、１４ｂを備え、取り付け溝１５を介して中央に嵌合円盤１７が取り付けられている。取り付け溝１５は、端末ピン１６を巻き付けるのに十分な幅を有している。また、嵌合円盤１７は、周壁面が高圧端子１４の挿入方向に径が小さく、後方に向かってテーパ状に径が大きく形成されている。更に、嵌合円盤１７は、弾性を有する部材、例えば、合成樹脂、合成ゴム等から構成されている。なお、高圧端子１４は、導電性部材から構成されている。
【００１６】
図４は、端末ピン１６を示す説明図である。端末ピン１６は、端部１６ａがほぼ円形に形成されるとともに、開口部１６ｂを有している。このように構成された端末ピン１６を高圧端子１４の取り付け溝１５に嵌合する。取り付け方法は、端末ピン１６の開口部１６ｂを高圧端子１４の取り付け溝１５に当接させ、そのまま押圧すれば、開口部が弾性により一旦開いた後、再度閉じて弾性嵌合される。このように端末ピン１６の端部１６ａに高圧端子１４が嵌合された状態で図１に示すように絶縁ケース１２内に挿入する。
【００１７】
高圧端子１４を絶縁ケース１２内へ引き込む方法として、図７に示すように冶具１８によって高圧端子１４の下端を引っ掛けて、矢印Ａ方向に引き込む。引き込まれた高圧端子１４は、テーパ状の嵌合円盤１７が絶縁ケース１２の嵌合穴１２ａに嵌り固定される。その後、絶縁ケース１２内に絶縁樹脂を封入して全体を固定する。
【００１８】
以上のように構成した場合、高圧端子１４の取り付け溝１５に端末ピン１６が弾性嵌着するとともに、多点接触するので熱応力により接触不良が生じる虞れがない。したがって、生産性及び品質の安定性を確保することができる。
【００１９】
図８は、本発明の他の実施例を示すもので、ねじによる引き込み例を示す説明図である。本実施例において、端末ピン１６を巻き付けた高圧端子１４は、ねじ１９によって絶縁ケース１２の嵌合穴１２ａに嵌り込み固定される。その後、絶縁ケース１２内に絶縁樹脂を封入して全体を固定する。
【００２０】
図９は、溶接による組み付け状態を示す説明図、図１０は、その要部拡大説明図である。本実施例において、高圧端子１４の取り付け溝１５内に巻き付けられた端末ピン１６は、高圧端子１４の一部に溶接２０で固定されている。
【００２１】
以上のように構成した場合、端末ピン１６と高圧端子１４とを溶接によって確実に接続した後、絶縁ケース１２内に圧入するので、導通不良を後工程に残すことなく確実に組立ることができる。したがって、高圧端子１４と端末ピン１６の導通不良による不具合を未然に解消することができる。
【００２２】
なお、本発明は上述の実施例に限定されることなく、特許請求の範囲の記載に基づいて種々の設計変更が可能である。
【図面の簡単な説明】
【００２３】
【図１】図１は、本発明に係る内燃機関用点火コイルの組み付け手順を示す説明図である。
【図２】図２は、同内燃機関用点火コイルに使用される高圧端子の正面図である。
【図３】図３は、同高圧端子の平面図である。
【図４】図４は、端末ピンを示す説明図である。
【図５】図５は、同内燃機関用点火コイルの組み付け状態を示す説明図である。
【図６】図６は、端末ピンの巻き付け状態を示す拡大説明図である。
【図７】図７は、治具による引き込み例を示す説明図である。
【図８】図８は、ねじによる引き込み例を示す説明図である。
【図９】図９は、溶接による組み付け状態を示す説明図である。
【図１０】図１０は、図９の要部拡大説明図である。
【図１１】図１１は、従来の内燃機関用点火コイルの端子接触構造を示す縦断面図である。
【図１２】図１２は、図１１の要部拡大説明図である。
【符号の説明】
【００２４】
１０      内燃機関用点火コイル
１１      積層鉄心
１２      絶縁ケース
１３      高圧筒
１４      高圧端子
１５      取り付け溝
１６      端末ピン
１６ａ    端部
１６ｂ    開口部
１７      嵌合円盤
１８      冶具
１９      ねじ
２０      溶接
【図１】
2008004732.tif 000003
【図２】
2008004732.tif 000004
【図３】
2008004732.tif 000005
【図４】
2008004732.tif 000006
【図５】
2008004732.tif 000007
【図６】
2008004732.tif 000008
【図７】
2008004732.tif 000009
【図８】
2008004732.tif 000010
【図９】
2008004732.tif 000011
【図１０】
2008004732.tif 000012
【図１１】
2008004732.tif 000013
【図１２】
2008004732.tif 000014